(57)【要約】【課題】胴内排紙される画像形成装置にも適用が可能で、操作部の角度が変更可能なユニバーサルデザイン化された画像形成装置を提供する。【解決手段】スキャナユニット２０のフレーム２１に支持軸１０４を設け、操作部８０には係止部材１１１を設けてこれを支持軸１０４に係止する。操作部８０は、スキャナユニット２０に回動可能に取り付けられる。操作部８０には係止部材１１１の下部に支持部材１１３があり、フレーム２１には受部材１０６が設けられている。受部材１０６には複数の受面１０６ａ，１０６ｂがあり、支持部材１１３の受面１１３ａが受面１０６ａ，１０６ｂのいずれかと択一的に当接することで、操作部の操作面角度を変更可能とした。【選択図】        図３
2005017690.tif 000002
【特許請求の範囲】
【請求項１】
装置本体の上部に設けられたスキャナユニットと、該スキャナユニットのフレームに回動可能に取り付けられた操作部と、該操作部の下部に設けられた支持部材と、前記フレームに設けられ前記支持部材が当接する受部材と、を有し、前記支持部材の受面と受部材の受面の少なくともいずれか一方が複数面を有し、かつ、前記支持部材と受部材のいずれか一方を上記回動の中心線に沿ってスライド自在に取り付け、当接する受面を変更することによって操作部の操作面角度を変更することを特徴とする画像形成装置。
【請求項２】
前記画像形成装置が、胴内排紙型であることを特徴とする請求項１記載の画像形成装置。
【請求項３】
前記スキャナユニットのフレームに支持軸を取り付け、前記操作部に係止部材を設け、前記支持軸に前記係止部材を係止することで操作部を回動可能に取り付けたことを特徴とする請求項１又は２記載の画像形成装置。
【発明の詳細な説明】
【０００１】
【技術分野】
本発明は、画像形成装置に関し、特に、胴内排紙の複写機において、操作部の角度を変更可能な画像形成装置に関する。
【０００２】
【背景技術】
図８は従来の画像形成装置としての胴内排紙の複写機を示す斜視図である。複写機１は、装置の上部に原稿の自動給送が可能なＡＤＦ２と操作部３とを有する。ＡＤＦ２に複数枚の原稿を載置し、操作部３から画像形成条件を入力する。操作部３は、液晶パネル３ａとテンキーやスタートボタンなどを有する入力部３ｂとからなる。液晶パネル３ａは、複写機１の現行状況を表示し、入力部３ｂからは、たとえば、コピー部数の設定、コピー濃度の設定、コピー倍率の設定、などの画像形成条件の設定をする。ＡＤＦ２の真下で、操作部３と隣接する位置に、スキャナユニットがあり、ここで原稿画像の読み取りがされる。
【０００３】
入力部３ｂに設けられたスタートボタンを押すと、ＡＤＦ２から１枚ずつ原稿が読み込まれ、複写が開始する。複写紙は、複数あるトレイ４，４，４のいずれかから供給され、複写が完了した複写紙は、胴内にある排紙部５に排紙される。
【０００４】
オペレータは複写機１の前に立っているので、操作部３を斜め前方向から見下ろすようになる。操作部３の高さは、９００〜１１００ｍｍと、オペレータの腰の高さ程度なので、操作部３が水平だとオペレータにとっては斜めになり、見にくくなる。そこで、従来は画像形成装置の前端面に向かって緩やかな下り勾配とし、図の角θが健常者が見易い角度として約７゜に設定されている。このように軽い勾配を設けることで、液晶パネル３ａが見やすくなり、入力部３ｂも操作し易くなる。
【０００５】
また、胴内排紙型の場合、操作部３の一方側は画像形成装置本体に支持可能であるが、他方側は排紙部５の上に位置し、下方を支持されていない状態となる。そのため、従来の胴内排紙型の画像形成装置においては、操作部３は、画像形成装置本体と一体化されていた。
【０００６】
最近「できるだけ多くの人が利用可能であるように製品、建物、空間をデザインする」ユニバーサルデザインが提唱されるようになってきた。画像形成装置も、非健常者にとって使い易くなるようにユニバーサルデザイン化することが重要である。
【０００７】
しかし、上記の操作部３は、オペレータが健常者であることを前提としたもので、車椅子を利用している非健常者にとっては、操作部３の高さが９００〜１１００ｍｍと目の高さに近いこともあって、見にくいものとなっていた。
【０００８】
そのため、非健常者のために、図に示す角θ、すなわち、操作部３の表示面傾斜角度（以下「角度」と略す）を大きくできるようにすることが望まれる。このようなことから、操作部３の角度を変更可能な構成にすることが考えられた。具体的には、操作部３全体を回動可能な構成にすればよい。
【０００９】
操作部の角度を変更可能なものとして、特許文献１（特開平９−２４４５４３号）では、操作パネルの手前側端部で軸支し、角度変更部を操作パネルの下側に挟むことで傾斜角度を変更可能な画像形成装置を提案している。
【００１０】
しかし、この特許文献１では、操作パネルの一番奥側を手で上下して角度を調整し、操作パネルの奥側から角度変更部材を挿入するので、非健常者にとっては、非常に扱いにくい。
【００１１】
また、本願の出願人の先願として、特願２００２−１５２３０７号がある。これは、操作部を操作面角度が変更可能な操作面ユニットと、操作面ユニットの外側に形成された操作部外部ユニットとに分け、操作部外部ユニットを装置本体の角端部に固定した構成としたものである。この操作部は、装置の手前から角度を調整することが可能である。
【００１２】
しかし、この画像形成装置は、操作部を載せて支持する部分が必要であり、この部分を胴内排紙の画像形成装置では設けることが困難なため、胴内排紙には不適である。
【００１３】
【特許文献１】特開平９−２４４５４３号
【００１４】
【発明が解決しようとする課題】
本発明は、このような事実から考えられたもので、胴内排紙される画像形成装置にも適用が可能で、操作部の角度が変更可能なユニバーサルデザイン化された画像形成装置を提供することを目的としている。
【００１５】
上記の目的を達成するために本願の第１の発明による画像形成装置は、装置本体の上部に設けられたスキャナユニットと、該スキャナユニットのフレームに回動可能に取り付けられた操作部と、該操作部の下部に設けられた支持部材と、前記フレームに設けられ前記支持部材が当接する受部材と、を有し、前記支持部材の受面と受部材の受面の少なくともいずれか一方が複数面を有し、かつ、前記支持部材と受部材のいずれか一方を上記回動の中心線に沿ってスライド自在に取り付け、当接する受面を変更することによって操作部の操作面角度を変更することを特徴としている。
【００１６】
本願の第２の発明による画像形成装置は、前記画像形成装置が、胴内排紙であることを特徴としている。
【００１７】
本願の第３の発明による画像形成装置は、前記スキャナユニットのフレームに支持軸を取り付け、前記操作部に係止部材を設け、前記支持軸に前記係止部材を係止することで操作部を回動可能に取り付けたことを特徴としている。
【００１８】
【作用】
操作部は、基端側がスキャナユニットのフレームに回動可能に支持されるが、このままでは、先端は固定されない。そこで、操作部の下部に支持部材を設け、フレームには受部材を設ける。そして、支持部材の先端の受面と受部材の受面とを当接させることで、操作部の姿勢を安定させる。支持部材の受面と受部材の受面のいずれか一方を複数面とし、これらの１つの受面と相手側の受面とが選択的に当接することで、操作部の傾斜角度を変更する。操作部は、装置本体のフレームには一切支持されない構造となり、胴内排紙の画像形成装置に適用可能となる。
【００１９】
スキャナユニットのフレームに支持軸を取り付けて、これに操作部の係止部材を係止すると、操作部は回動自在にスキャナユニットに取り付けられることになる。本体のフレームには支持される必要がない。
【００２０】
【発明の効果】
本願の第１の発明による画像形成装置は前記の構成なので、操作部の角度を受面の数と同じ複数段階に変更することができ、健常者にも非健常者にも使い易い角度は勿論、ユーザの希望に応じて設定することができる。
【００２１】
また、第２の発明によれば、胴内排紙型の画像形成装置の場合でも、操作部を装置本体のフレームに支持させることなく、スキャナユニットだけで支持しているので、操作部の下が空間となっていても実施可能である。
【００２２】
第３の発明によれば、簡単な構造で操作部をスキャナユニットに回動可能に支持することが可能となる。
【００２３】
【発明の実施の形態】
図１は本発明の複写機の断面構成を示す構成図である。原稿の自動給送が可能なＡＤＦ１０の原稿トレイ１１には、表面を上にした状態の原稿を複数枚載置している。ローラ１２により繰り出された原稿の１枚目はローラ１３によりプラテンガラス１４上に送り込まれる。
【００２４】
原稿がローラ１３によってプラテンガラス１４上を通過しているとき、光源２３により原稿の原稿面が照射され、その反射光がミラー２４，２５，２６を経て結像光学系２７を介して光電変換手段であるＣＣＤ２８の受光面に像を結ぶ。ここで、光源２３、ミラー２４，２５，２６、結像光学系２７及びＣＣＤ２８、並びに、図示されていない光学系駆動手段とでスキャナユニット２０を構成している。読み取られた原稿の画像データは、ＣＣＤ２８から図示しない画像メモリ手段に送られ、記憶される。
【００２５】
このようにして、画像が読み取られた原稿は、表面を下に向けた状態で排紙皿１５上に送り出されていく。一方、用紙Ｐが積載されているトレイ３０，３１から給紙ローラにより用紙Ｐが送り出され、画像形成部５０に給送される。画像形成部５０に給送される用紙Ｐはその入口のレジストローラ５２で同期がとられた後、感光体ドラム５１に近接する。
【００２６】
画像メモリ手段に記憶されている画像データは、画像書込部４０に入力され、画像書込部４０内のレーザダイオードから画像データに応じたレーザ光を感光体ドラム５１上に照射し、静電潜像を形成する。この静電潜像を現像部５３で現像することで、感光体ドラム５１上にトナー像を形成する。
【００２７】
このトナー像は感光体ドラム５１の下部の転写部５４により用紙Ｐに転写される。そして、感光体ドラム５１に圧着されている用紙Ｐは分離部５５により分離される。感光体ドラム５１から分離された用紙Ｐは定着部５８に入り、トナー像が熱と圧力とにより定着される。このように画像形成が完了した用紙Ｐは、排出ローラ６５により胴内にある排紙トレイ７０上に排出される。
【００２８】
図２は、本発明の画像形成装置の特徴部分を示す図で、操作部８０を取り外した状態のスキャナユニット２０の正面側のフレーム２１を正面から見た図である。
【００２９】
画像形成装置は、図１で説明したように装置の上部でＡＤＦ１０の下部にスキャナユニット２０を有しているが、図２に示すように、このスキャナユニット２０に操作部８０を取り付けている。操作部８０は、図８の従来例における操作部３と同様に液晶タッチパネル８１とテンキー部８２からなり、ユーザがコピーを開始するに先だって、ここで、各種のコピーモードの設定を行う。たとえば、コピー部数の設定、コピー濃度の設定、コピー倍率の設定、交互出力モードの指定、などである。ただし、コピー倍率やコピー濃度などについては、自動設定とすることも可能である。
【００３０】
フレーム２１は、金属製の板をプレス等で打ち抜き、曲げ加工を加えて形成されている。このフレーム２１と同様のフレームで周囲を囲って内部にスキャナユニット２０の光源２３、ミラー２４，２５，２６、結像光学系２７、ＣＣＤ２８等を収容してスキャナユニット２０が構成されることになる。このフレーム２１の右側１／４〜１／３程度が画像形成装置本体に支持されており、残り３／４〜２／３程度は、胴内にある排紙トレイ７０の上に張り出した部分である。
【００３１】
フレーム２１には、ほぼ中央にコ字形をした取付部材１０１が、その両側には端部取付部材１０２，１０２が図示を省略したビス等によって固定されている。これらのブラケット間には、一方の端部取付部材１０２から取付部材１０１を経由して他方の端部取付部材１０２まで達する支持軸１０４が固定されている。支持軸１０４は円形断面をした金属製である。
【００３２】
また、取付部材１０１の両側のフレーム２１の下部には、２つの受部材１０６，１０６がビス等でフレーム２１に取り付けられている。受部材１０６には、２つの傾斜した受面１０６ａ，１０６ｂがある。２つの受面１０６ａと１０６ｂとは勾配と高さが異なるが、両側の受面１０６ａ同士、受面１０６ｂ同士は同じ高さで同じ勾配である。さらに、２つの受部材１０６は、それぞれ図２の矢印に示す方向に移動可能である。移動する方法は、たとえば、フレーム２１に受面１０６ａ，１０６ｂと同じ間隔の複数のねじ孔を穿設しておき、フレーム２１に受部材１０６を取り付けているビスを外して受部材１０６を左右に移動し、別のねじ孔に止めることで移動する。勿論、この方法は一例であり、ビスを緩めたり取り外したりすることなく移動可能な構成とするなど、多様な構成を採用することができる。
【００３３】
図３はフレーム２１に操作部８０を取り付けた状態を示す一部破断した上面図である。図４は画像形成装置の操作部８０周辺を示す部分側面図である。図５は図４に示す側面図において、フレーム２１部分の構造を示す図、図６は図３のＶＩ−ＶＩ断面で、操作部８０の支持構造を模式的に示す図である。
【００３４】
これらの図に示すように、操作部８０の下側には係止部材１１１，１１２が取り付けられ、これに形成された嵌合部１１１ａに支持軸１０４が嵌合して操作部８０が支持軸１０４の中心線１０４ａを中心に回動自在にスキャナユニット２０に支持される。このような構成により簡単な構造で操作部８０をスキャナユニット２０に係止することができる。
【００３５】
係止部材１１１，１１２の下側には支持部材１１３が取り付けられている。支持部材１１３は、係止部材１１１，１１２の受部材１０６と対向するように位置している。支持部材１１３には先端に受面１１３ａがあり、この受面１１３ａがフレーム２１に取り付けられた受部材１０６の２つの受面１０６ａ，１０６ｂのいずれかに当接することで操作部８０の傾斜角度を決める。この実施例では、受面１１３ａは、受部材１０６の高い方の受面１０６ａに当接している。このときの操作部８０の角度が、図４の実線に示す位置で、健常者に適した小さい角度θとなっている。受部材１０６を支持軸１０４の方向に移動して支持部材１１３の受面１１３ａが、受面１０６ｂに当接するようにすれば、操作部８０は図４の仮想線８０’に示す位置になり、角度はθ＋αと大きくなり非健常者にも見やすい角度になる。
【００３６】
角θは、主として健常者が見やすい角度として設定され、５〜１０゜の範囲内から決められる。これに対し、角θ＋αは、車椅子を利用している非健常者と健常者の双方が見やすい角度として設定されることが望ましい。その場合の角度は１０〜１８゜の範囲としている。１０゜未満になると、車椅子を利用している者には見にくくなり、１８゜を越えると健常者にとって見にくくなるからである。
【００３７】
以上の実施例では、受部材１０６の受面１０６ａ，１０６ｂは２つであったが、図７に示す受部材２０６のように、４つの受面２０６ａ，２０６ｂ，２０６ｃ，２０６ｄを有するものを使用してもよい。
【００３８】
なお、受面１０６ａ，１０６ｂや受面２０６ａ，２０６ｂ，２０６ｃ，２０６ｄは、傾斜角度がそれぞれ異なっているが、これは、操作部８０の回動により支持部材１１３の受面１１３ａの角度が変化するのに合わせているからである。
【００３９】
複数の受面は受部材１０６ではなく、支持部材１１３の受面１１３ａを複数にする構成としてもよい。また、前記の実施例では、受部材１０６，２０６を支持軸１０４の軸方向にスライド自在としたが、支持部材１１３の方をスライドさせる構成としてもよい。
【図面の簡単な説明】
【図１】本発明の複写機の断面構成を示す構成図である。
【図２】操作部を取り外した状態のスキャナユニットの正面側のフレームを正面から見た図である。
【図３】フレームに操作部を取り付けた状態を示す一部破断した上面図である。
【図４】画像形成装置の操作部周辺を示す部分側面図である。
【図５】図４に示す側面図において、フレーム部分の構造を示す図である。
【図６】図３のＶＩ−ＶＩ断面で、操作部の支持構造を模式的に示す図である。
【図７】他の受部材の例を示す拡大図で（ａ）は正面図、（ｂ）は側面図である。
【図８】従来の画像形成装置としての胴内排紙の複写機を示す斜視図である。
【符号の説明】
２０      スキャナユニット
２１      フレーム
８０      操作部
１０４    支持軸
１０６    受部材
１０６ａ，１０６ｂ    受面
１１１，１１２    係止部材
１１３    支持部材
１１３ａ  受面
【図１】
2005017690.tif 000003
【図２】
2005017690.tif 000004
【図３】
2005017690.tif 000005
【図４】
2005017690.tif 000006
【図５】
2005017690.tif 000007
【図６】
2005017690.tif 000008
【図７】
2005017690.tif 000009
【図８】
2005017690.tif 000010